(57)【要約】【課題】開業当初の投資コストを安価にし、駐車スペースを圧迫することを抑制するとともに、利用者にとっても使い勝手が良く、さらに、それぞれの機器から現金の回収をする必要の無い新規な駐車料金精算装置を提供する。【解決手段】駐車料金を精算するための精算用カードが挿入されるカード挿入口３１と、金員が投入される投入口３２，３３と、操作方法その他の案内情報を表示する表示部３８と、操作部３９・・・５１とを有してなる駐車料金精算装置３０において、内部には、利用期限情報１００ｄ・・・１０３ｄが記録された記録部を有する定期カード１００・・・１０３又は利用可能残高情報１０４ｂ，１０５ｂが記録された記録部を有するプリペイドカード１０４，１０５の少なくとも何れか一方が発行されるカード発行機構を有し、上記定期カード１００・・・１０３又はプリペイドカード１０４，１０５が発行される発行口は上記カード挿入口３１と同一である。【選択図】  図６
2004206233.tif 000002
【特許請求の範囲】
【請求項１】
駐車料金を精算するための精算用カードが挿入されるカード挿入口と、金員が投入される投入口と、操作方法その他の案内情報を表示する表示部と、操作部とを有してなる駐車料金精算装置において、
内部には、利用期限情報が記録された記録部を有する定期カード又は利用可能残高情報が記録された記録部を有するプリペイドカードの少なくとも何れか一方が発行されるカード発行機構を有し、上記定期カード又はプリペイドカードが発行される発行口は上記カード挿入口と同一であることを特徴とする駐車料金精算装置。
【請求項２】
前記カード発行機構には、前記カード挿入口から挿入された発行済みの前記定期カード又は発行済みの前記プリペイドカードの記録部から利用期限情報又は利用可能残高情報を読出す読出し部と、上記記録部に記録された利用期限が延長された新たな利用期限情報又は上記記録部に記録された利用可能残高が増加された新たな利用可能残高情報を、上記発行済みの定期カード又はプリペイドカードに記録する書込み部と、を備え、
上記カード挿入口から挿入された定期カード又はプリペイドカードが、上記書込み部により新たな利用期限情報又は新たな利用可能残高情報が上記記録部に記録された状態で、上記カード挿入口から発行されるよう構成されてなることを特徴とする請求項１記載の駐車料金精算装置。
【請求項３】
前記書込み部により記録された定期カードの累計更新回数又は累計使用期間若しくはプリペイドカードの累計更新回数又は累計購入金額が、上記定期カード又はプリペイドカードに記録されるよう構成されていることを特徴とする請求項２記載の駐車料金精算装置。
【請求項４】
前記定期カードに記録された累計更新回数又は累計使用期間が、所定の累計更新回数又は所定の累計使用期間を上回り、若しくは前記プリペイドカードに記録された累計更新回数又は累計購入金額が、所定の回数，期間又は金額を上回る場合には、前記書込み部により記録される新たな利用期限がさらに延長され又は該書込み部により記録される新たな利用可能残高情報が増加され、若しくは、更新される定期カード又はプリペイドカードの購入金額が減額されるよう構成されてなることを特徴とする請求項３記載の駐車料金精算装置。
【請求項５】
前記カード発行機構は、利用期限情報又は利用可能残高が記録される前のカードが複数枚収容された単一のカード収容部を備えてなるとともに、このカード収容部から取出されたカードには、前記書込み部により利用期限情報又は利用可能残高情報が目視的及び非目視的に記録されるよう構成されてなることを特徴とする請求項２，３又は４記載の駐車料金精算装置。
【請求項６】
前記定期カード又はプリペイドカードは、目視的に記録された利用期限情報又は利用可能残高情報が消去可能とされてなるとともに、前記カード発行機構には、上記目視的に記録された利用期限情報又は利用可能残高情報を消去する消去部を有してなることを特徴とする請求項１，２，３，４又は５記載の駐車料金精算装置。
【請求項７】
前記カード発行機構は、前記定期カードとして発行される最低利用期限よりも短い利用期限情報が記録された使い捨てカードが発行され、又は前記プリペイドカードとして発行される最低利用可能残高よりも少ない利用可能残高情報が記録された使い捨てカードが発行されるよう構成されてなるとともに、前記請求項５記載の発明を構成するカード収容部とは別個の他のカード収容部を備えてなり、
この他のカード収容部には、前記カード収容部に収容されたカードとは素材の異なる紙製の他のカードが複数枚収容されてなるとともに、前記書込み部により、上記短い利用期限情報又は上記少ない利用可能残高情報が書込まれた上で、上記使い捨てカードとして、前記カード挿入口から発行されるよう構成され、前記読出し部は、この使い捨てカードに書込まれた利用期限情報又は利用可能残高情報をも読出し可能とされてなることを特徴とする請求項６記載の駐車料金精算装置。
【請求項８】
前記駐車料金を精算するための精算カードにより駐車料金が精算された際に、又は前記定期カード又はプリペイドカードが購入された際にレシートが発行されるよう構成されてなるとともに、このレシートは、前記他のカード収容部に収容された他のカードに少なくとも精算金額及び日時が前記書込み部により記録され、前記カード挿入口から発行されるよう構成されてなることを特徴とする請求項７記載の駐車料金精算装置。
【発明の詳細な説明】
【０００１】
【発明が属する技術分野】
本発明は、自動車や自転車が駐車される有料駐車場に設置される駐車料金精算装置に関するものであり、特に、無人有料駐車場に設置される駐車料金精算装置に関するものである。
【０００２】
【従来の技術】
これまで、無人有料駐車場は、デパートやホテル等の施設に付随して設けられていたが、近年では、空き地を利用した無人有料駐車場も多い。そして、こうした無人有料駐車場には、通常、その敷地内又は出庫ゲートの近傍に、駐車料金を精算する駐車料金精算装置が設置されており、利用者は、この駐車料金精算装置を使用して、現金を投入することにより駐車料金を精算する。ところで、こうした無人有料駐車場においては、上述したように、現金の支払いによる駐車料金の精算方法以外に、例えば、予め利用者が購入した定期カード（定期券）やプリペイドカードを使用することにより清算を終え出庫ができるようにされている場合がある。そして、こうした定期カードやプリペイドカードの利用を前提とした駐車料金精算装置が提案されている（例えば、特許文献１参照）。すなわち、従来では、駐車料金精算装置とは別個に、上記定期カードやプリペイドカードを販売するカード販売機が、それぞれ無人有料駐車場に設置されており、利用者は、このカード販売機を使用して、上記定期カードやプリペイドカードを購入し、上記駐車料金精算装置を使用して出庫するようにされている。
【０００３】
【特許文献１】
特開２００２−２６００３０号公報
【０００４】
【発明が解決しようとする課題】
しかしながら、このように無人有料駐車場に、カード販売機と駐車料金精算装置とを別個に設置することは、無人有料駐車場の開業当初における投資コストが高額となるばかりではなく、各装置の設置スペースが駐車スペースを圧迫する場合があると同時に、利用者にとっても、別個の装置をそれぞれ使用しなければならないことから、使い勝手が悪い。さらに、駐車料金精算装置とカード販売機は、何れも現金を貯留する機能を有することから、それぞれの装置又は機器に防犯上の対策を施さなければならず、また、管理者はそれぞれの機器から現金の回収が必要となる。
【０００５】
そこで、本発明は、上述した従来の無人有料駐車場が有する課題を解決するために提案されたものであって、開業当初の投資コストを安価にし、駐車スペースを圧迫することを抑制するとともに、利用者にとっても使い勝手が良く、さらに、それぞれの機器から現金の回収をする必要の無い新規な駐車料金精算装置を提供することを目的とするものである。
【０００６】
【課題を解決するための手段】
本発明は、上記目的を達成するために提案されたものであって、第１の発明（請求項１記載の発明）は、駐車料金を精算するための精算用カードが挿入されるカード挿入口と、金員が投入される投入口と、操作方法その他の案内情報を表示する表示部と、操作部とを有してなる駐車料金精算装置において、
内部には、利用期限情報が記録された記録部を有する定期カード又は利用可能残高情報が記録された記録部を有するプリペイドカードの少なくとも何れか一方が発行されるカード発行機構を有し、上記定期カード又はプリペイドカードが発行される発行口は上記カード挿入口と同一であることを特徴とするものである。
【０００７】
この第１の発明では、定期カード又はプリペイドカードが発行されるカード発行機構を有し、さらに、上記定期カード又はプリペイドカードが発行される発行口は、上記駐車カードが挿入される上記カード挿入口と同一であることから、無人有料駐車場の開業当初における投資コストを安価にすることができ、また、設置スペースが駐車スペースを圧迫することがない。さらに、利用者にとっても、この第１の発明に係る駐車料金精算装置の使用により、駐車料金を精算することができるとともに、定期カードやプリペイドカードを購入することもできるので、極めて使い勝手が良い。さらに、この第１の発明によれば、防犯上の対策も単一の措置を施せば良く、また、管理者による現金の回収も簡易且つ迅速に行うことができる。
【０００８】
なお、この第１の発明を構成するカード挿入口に挿入される精算用カードとは、駐車料金を精算するために上記カード挿入口に挿入されるカードの全てが含まれるものであり、例えば、この発明に係る駐車料金精算装置が設置される無人有料駐車場において、入庫の際に駐車カードを発行する場合には、該駐車カードもこの精算用カードに含まれることは勿論、こうしたカード挿入口への駐車カードの挿入に付随して定期カード又はプリペイドカードが挿入される場合には、該定期カードやプリペイドカードもこの精算用カードに含まれる。そして、上記駐車料金の精算に際して、回数券やサービス券を使用することができる場合においては、これら回数券やサービス券も、この精算用カードに含まれる。また、上述したように、入庫の際に駐車カードが発行されず、無人有料駐車場の敷地内に設けられた複数の駐車スペース（車室）内に、該駐車スペース内への入庫の完了により起立駆動するとともに駐車料金の精算完了により倒伏するフラップが設けられ、これらの各フラップは駐車料金精算装置により全て集中制御されている場合において、駐車料金を精算する際に使用される回数券やサービス券も、上記清算用カードに該当する。また、この第１の発明においては、少なくとも定期カード又はプリペイドカードの何れか一方が発行されるカード発行機構を有していれば良く、言うまでもなく、上記カード発行機構は、上記定期カードとプリペイドカードとの両方を発行する機能を備えたものであっても良い。さらに、この発明は、空き地等を利用した無人有料駐車場ばかりではなく、ビル等の構築物内に設けられた無人有料駐車場に設置されるものであっても良く、さらには、自動車の駐車場に設置されるものばかりではなく、自転車の駐車場に設置されるものであっても良い。
【０００９】
また、第２の発明（請求項２記載の発明）は、上記第１の発明において、前記カード発行機構には、前記カード挿入口から挿入された発行済みの前記定期カード又は発行済みの前記プリペイドカードの記録部から利用期限情報又は利用可能残高情報を読出す読出し部と、上記記録部に記録された利用期限が延長された新たな利用期限情報又は上記記録部に記録された利用可能残高が増加された新たな利用可能残高情報を、上記発行済みの定期カード又はプリペイドカードに記録する書込み部と、を備え、上記カード挿入口から挿入された定期カード又はプリペイドカードが、上記書込み部により新たな利用期限情報又は新たな利用可能残高情報が上記記録部に記録された状態で、上記カード挿入口から発行されるよう構成されてなることを特徴とするものである。
【００１０】
この第２の発明によれば、前記カード発行機構は、発行済みの定期カード又はプリペイドカードの記録部に記録された利用期限が延長された新たな利用期限情報又は上記記録部に記録された利用可能残高が増加された新たな利用可能残高情報を、上記発行済みの定期カード又はプリペイドカードに記録する書込み部を構成要素としており、一度発行された定期カード又はプリペイドカードを再利用する（更新する）ことができるので、該定期カード又はプリペイドカードに宛てられるコストを削減することができ、また、発行される定期カード又はプリペイドカードを頻繁に補充する作業をも低減することができ、管理コストの低減にも大きく寄与することができる。
【００１１】
また、第３の発明（請求項３記載の発明）は、上記第２の発明において、前記書込み部により記録された定期カードの累計更新回数又は累計使用期間若しくはプリペイドカードの累計更新回数又は累計購入金額が、上記定期カード又はプリペイドカードに記録されるよう構成されていることを特徴とするものである。
【００１２】
この第３の発明によれば、更新された定期カードに記録された該定期カードの累計更新回数や累計使用期間、更新されたプリペイドカードに記録された該プリペイドカードの累計更新回数又は累計購入金額により、管理者はこれらの情報を確認することができ、こうした情報に基づく将来の対策が可能となるとともに、上記累計更新回数，累計使用期間又は累計購入金額等に応じて、利用者に対する金銭や物品等の交付をすることができる。
【００１３】
また、第４の発明（請求項４記載の発明）は、上記第３の発明において、前記定期カードに記録された累計更新回数又は累計使用期間が、所定の累計更新回数又は所定の累計使用期間を上回り、若しくは前記プリペイドカードに記録された累計更新回数又は累計購入金額が、所定の回数，期間又は金額を上回る場合には、前記書込み部により記録される新たな利用期限がさらに延長され又は該書込み部により記録される新たな利用可能残高情報が増加され、若しくは、更新される定期カード又はプリペイドカードの購入金額が減額されるよう構成されてなることを特徴とするものである。
【００１４】
この第４の発明によれば、第３の発明で記載したように、利用者に対して金銭や物品等を交付するという管理者の負担を軽減することができるばかりではなく、より定期カード又はプリペイドカードが更新される可能性を高めることができ、新規の定期カード又はプリペイドカードの発行を抑制することができることから、より一層該定期カード又はプリペイドカードに宛てられるコストを削減することができ、また、発行される定期カード又はプリペイドカードを頻繁に補充する作業をさらに低減することができる。
【００１５】
また、第５の発明（請求項５記載の発明）は、上記第２，第３又は第４の何れかの発明において、前記カード発行機構は、利用期限情報又は利用可能残高が記録される前のカードが複数枚収容された単一のカード収容部を備えてなるとともに、このカード収容部から取出されたカードには、前記書込み部により利用期限情報又は利用可能残高情報が目視的及び非目視的に記録されるよう構成されてなることを特徴とするものである。
【００１６】
この第５の発明によれば、定期カードに関しては、その利用期限情報毎に予め該利用期限情報が記録された多種類の定期カードを貯留し、また、プリペイドカードに関しては、その利用可能残高毎に予め該利用可能残高情報が記録された多種類のプリペイドカードを貯留するための収容部をそれぞれ別個に設ける必要がないことから、この駐車料金精算装置を、従来のカード発行機構を有していない駐車料金精算装置と同じ位の大きさに抑えることが可能となり、さらには、それぞれの利用期限情報又は利用可能残高情報に応じた多種類の定期カード又はプリペイドカードの補充を強いられることがなく、管理コストを大きく低減することができる。
【００１７】
また、第６の発明（請求項６記載の発明）は、上記第１，第２，第３，第４又は第５の何れかの発明において、前記定期カード又はプリペイドカードは、目視的に記録された利用期限情報又は利用可能残高情報が消去可能とされてなるとともに、前記カード発行機構には、上記目視的に記録された利用期限情報又は利用可能残高情報を消去する消去部を有してなることを特徴とするものである。
【００１８】
この第６の発明による場合であっても、上記第２の発明と同じように、一度発行された定期カード又はプリペイドカードを再利用することができるので、該定期カード又はプリペイドカードに宛てられるコストを削減することができ、また、発行される定期カード又はプリペイドカードを頻繁に補充する作業をも低減することができ、管理コストの低減にも大きく寄与することができる。
【００１９】
また、第７の発明（請求項７記載の発明）は、上記第６の発明において、上記前記カード発行機構は、前記定期カードとして発行される最低利用期限よりも短い利用期限情報が記録された使い捨てカードが発行され、又は前記プリペイドカードとして発行される最低利用可能残高よりも少ない利用可能残高情報が記録された使い捨てカードが発行されるよう構成されてなるとともに、前記請求項５記載の発明を構成するカード収容部とは別個の他のカード収容部を備えてなり、この他のカード収容部には、前記カード収容部に収容されたカードとは素材の異なる紙製の他のカードが複数枚収容され、前記書込み部により、上記短い利用期限情報又は上記少ない利用可能残高情報が書込まれた上で、上記使い捨てカードとして、前記カード挿入口から発行されるよう構成されてなるとともに、前記読出し部は、この使い捨てカードに書込まれた利用期限情報又は利用可能残高情報をも読出し可能とされてなることを特徴とするものである。
【００２０】
この第７の発明では、利用者の選択により、利用期限が長い場合又は利用可能残高が多い場合には、請求項６記載の発明を構成するカードであって、請求項５記載の発明を構成するカード収容部内に収容されたカードに利用期限情報又は利用可能残高情報が記録された上で、定期カード又はプリペイドカードとして発行され、利用期限が短い場合又は利用可能残高が少ない場合には、他のカード収容部に収容された紙製の他のカードに、利用期限情報又は利用可能残高情報が記録された上で使い捨てカードとして発行される。したがって、この第７の発明によれば、目視的に記録された利用期限情報又は利用可能残高情報が消去可能とされた上記カードの発行頻度を抑制することができ、発行されるカード全体に必要なコストを安価にすることができる。
【００２１】
なお、この第７の発明において、上記「定期カードとして発行される最低利用期限よりも短い利用期限」は、管理者又は設計者により適宜決定されるものであり、請求項５記載の発明を構成するカード収容部内に収容されたカードを利用して発行される定期カードの最低利用期限を、例えば「１週間」と決定した場合において、例えば、利用者が「３日」或いは「１日」等を選択した場合には、上記他のカードにその利用期限情報が記録され使い捨てカードとして発行される。また、この第７の発明において、上記「プリペイドカードとして発行される最低利用可能残高よりも少ない利用可能残高」は、管理者又は設計者により適宜決定されるものであり、請求項５記載の発明を構成するカード収容部内に収容されたカードを利用して発行されるプリペイドカードの最低利用可能残高を、例えば「３０００円」と決定した場合において、例えば、利用者が「１０００円」或いは「５００円」等を選択した場合には、上記他のカードにその利用可能残高情報が記録され使い捨てカードとして発行される。
【００２２】
また、第８の発明（請求項８記載の発明）は、上記第７の発明において、前記駐車料金を精算するための精算カードにより駐車料金が精算された際に、又は前記定期カード又はプリペイドカードが購入された際にレシートが発行されるよう構成されてなるとともに、このレシートは、前記他のカード収容部に収容された他のカードに少なくとも精算金額及び日時が前記書込み部により記録され、前記カード挿入口から発行されるよう構成されてなることを特徴とするものである。
【００２３】
この第８の発明では、上記使い捨てカードとして発行される他のカードがレシート（領収書）としても利用されるとともに、該レシートは、上記カード挿入口から発行され、従来の駐車料金精算装置のように、ロールペーパーに印字（記録）された状態で、駐車カードが挿入されるカード挿入口とは別個に形成されたレシート発行口から発行されるものではない。また、この第８の発明では、上記他のカードに対する精算金額や日時の記録は、従来の駐車料金精算装置のように、印字装置が組み込まれているものではなく、上記定期カード又はプリペイドカードに利用期限情報又は利用可能残高情報を記録する書込み部により行われる。したがって、この第８の発明によれば、構成を簡素化し安価に製造することができる。
【００２４】
【発明の実施の形態】
以下、無人有料駐車場システムの全体的構成を説明しながら、本発明の一実施の形態に係る駐車料金精算装置について、図面を参照しながら詳細に説明する。なお、以下に説明する無人有料駐車場は、（自転車ではなく）自動車を駐車する無人有料駐車場であるとともに、入庫の際に駐車カードが発行されるタイプの駐車場であり、本実施の形態に係る駐車料金精算装置は、本発明を、こうしたタイプの駐車場に設置されるものに適用したものである。
【００２５】
この無人有料駐車場システムは、図１に示すように、車両が入庫する際に通過する入口ゲート１と、この入口ゲート１の隣に設けられ車両が出庫する際に通過する出口ゲート２とを有している。上記入口ゲート１には、駐車カード発行装置３が設置され、この駐車カード発行装置３の隣には一方の開閉バー４が設けられ、さらに、この一方の開閉バー４の先端の先端側には、該一方の開閉バー４の先端側を支持する一方のバーキャッチャー５が設置されている。上記駐車カード発行装置３は、図２に示すように、後述する駐車料金精算装置３０に電気的に接続されてなるものであり、図３に示すように、発券ボタン６と、この発券ボタン６の押圧操作により内部から駐車カードの先端側が外部に露出する発券口７と、この発券口７の上方に形成された表示部８とを備えている。上記表示部８は、例えば、時刻表示，満車・空車情報等が表示される部位である。なお、この駐車カード発行装置３には、上記発券ボタン６の押圧操作により駆動する図示しない発券機構，上記表示部８，後述する他の機器にそれぞれ電気的にも接続されており、ＲＯＭ，ＲＡＭ等の記憶部に接続された中央演算処理装置（ＣＰＵ）が内蔵されている。そして、上記発券機構は、図示しない駐車カード用のカードが多数枚収容されている収容部や、この収容部から繰り出されたカードに、入庫日時，入庫番号等を可視的に記録及び／又は非可視的（磁気的）に記録する記録部を備えている。すなわち、この駐車カードには、上記入庫日時，入庫番号等の情報が可視的に記録される部位と、これらの情報が非可視的（磁気的）に記録される記録部をそれぞれ備えている。なお、以下、上記非可視的（磁気的）に記録された入庫日時，入庫番号等の情報を、非可視情報という。
【００２６】
また、上記一方の開閉バー４は、図１に示すように、上記駐車カード発行装置３に電気的に接続された駆動部４ａにより水平状態から垂直状態までの約９０度の範囲に亘って回動するよう構成されてなるものである。また、図１に示すように、この一方の開閉バー４を挟んで手前側には、車両の通過を検出する第１の車両検出部９が地面（又は床下）に埋設されており、前方側には、同じく車両の通過を検出する第２の車両検出部１０が地面（又は床下）に埋設されている。これら第１及び第２の車両検出部９，１０は、図２に示すように、それぞれ上記駐車カード発行装置３を介して上記一方の開閉バー４に電気的に接続されている。したがって、上記第１の車両検出部９により入庫する車両の通過が検出されると、上記駐車カード発行装置３を構成する表示部８に操作情報が表示され、ドライバーが該駐車カード発行装置３に設けられた発券ボタン６を押圧操作すると、上記発券口７から駐車カードが発行される。なお、後述するように、この駐車カード発行装置３から発行され且つ上記第２の車両検出部１０を通過した数から駐車料金の精算が完了した数を減じた数が、駐車スペースの数と同じである場合には、たとえ上記発券ボタン６が押圧操作されても、上記駐車カードは発行されない。そして、発行された駐車カードが発券口７から利用者（ドライバー）により抜き取られると、それまで上記一方のバーキャッチャー５に先端側が支持され水平状態とされていた上記一方の開閉バー４は、上記駆動部の駆動により垂直状態となされ、この結果、車両は直進することが可能となる。そして、このように車両が直進し、上記第１の車両検出部９上から車両が移動し、上記第２の車両検出部１０により車両の通過が検出されると、それまで垂直状態とされていた上記一方の開閉バー４は、図示しない上記駆動部が駆動し再び元の状態（水平状態）に復帰する。
【００２７】
また、上記出口ゲート２には、図１に示すように、出庫操作装置１５が設置され、この出庫操作装置１５の隣には他方の開閉バー１６が設けられ、この他方の開閉バー１６の先端の先端側には、該他方の開閉バー１６の先端側を支持する他方のバーキャッチャー１７が設置されている。上記出庫操作装置１５は、図２に示すように、上記駐車カード発行装置３に電気的に接続されている。なお、この出庫操作装置１５は、後述する駐車料金精算装置３０のように、駐車料金を精算する機能を備えたものであっても良い。そして、この出庫操作装置１５には、図４に示すように、カード挿入口１８が設けられている。このカード挿入口１８は、上記駐車カード発行装置３により発行されるとともに後に詳細に説明する駐車料金精算装置３０により精算処理がなされた駐車カード又は該駐車料金精算装置３０により発行された定期カードが挿入される部位であるとともに、さらに後述するように上記駐車カードがレシート（領収書）として利用者に返却されるべき場合には、再び該駐車カードの先端側を内側から露出させる（返却する）部位である。なお、このカード挿入口１８は、該カード挿入口１８から定期カード，後述するフリーパスカードが挿入された場合には、これら定期カード等も返却される部位である。また、この出庫操作装置１５には、上記カード挿入口１８の上方に、表示部２０が設けられている。この表示部２０は、例えば、操作方法に関する情報，保安上のメッセージ情報等が表示される部位である。なお、この出庫操作装置１５には、上記駐車カードや定期カード等を内部に取り込み、排出する図示しない搬送機構ばかりではなく、上記カード挿入口１８から挿入された駐車カードに可視的又は非可視的に記録された入庫日時や、後述する駐車カードがレシートとして返却されるべき情報、さらに上記カード挿入口１８から挿入された定期カードに記録された利用期限情報等を読み出す読出し部や記録部がそれぞれ内蔵されている。また、この出庫操作装置１５には、ＲＯＭ，ＲＡＭ等の記憶部に接続された図示しない中央演算処理措置（ＣＰＵ）が内蔵され、上記表示部２０，図示しない搬送機構，読出し部は、この中央演算処理装置（ＣＰＵ）に接続されている。
【００２８】
また、上記他方の開閉バー１６は、図１に示すように、上記出庫操作装置１５に電気的に接続された駆動部１６ａにより水平状態から垂直状態までの約９０度の範囲に亘って回動するよう構成されてなるものである。また、この他方の開閉バー１６を挟んで、該他方の開閉バー１６の手前には、図１に示すように、車両の通過を検出する第３の車両検出部２３が地面（又は床下）に埋設され、前方には、同じく車両の通過を検出する第４の車両検出部２４が地面（又は床下）に埋設されている。これら第３及び第４の車両検出部２３，２４は、図２に示すように、上記出庫操作装置１５を介して上記他方の開閉バー１６に電気的に接続されている。したがって、この第３の車両検出部２３により出庫する車両の通過が検出されると、上記表示部２０に操作情報等が表示され、また、ドライバーにより上記カード挿入口１８から駐車カード，定期カード（後述するフリーパスカードも含む。）が挿入されると、これらの駐車カード等は、上記図示しない搬送機構の駆動により該出庫操作装置１５の内部に搬送される。このように、駐車カード等が内部に搬送されると、図示しない上記読出し部により、該駐車カードに記録された入庫日時等、或いは、定期カード等に記録された利用期限情報等が読み出され、上記図示しない中央演算処理（ＣＰＵ）による所定の演算処理がなさる。この結果、上記駐車カードが、レシート（領収書）として返却される場合には、上記カード挿入口１８から上記搬送機構の駆動により内部に搬送された後、再び該搬送機構の駆動により、レシートとしての駐車カードの先端が外部に露出される。また、上記定期カードやフリーパスカードが、上記カード挿入口１８から挿入された場合には、上記搬送機構の駆動により内部に搬送され、上記読出し部により利用期限情報等の読出しが完了し、上記中央演算処理（ＣＰＵ）により所定の演算処理が完了すると、再び該搬送機構の駆動により、上記定期カード等の先端が外部に露出される。
【００２９】
そして、上記レシートとして返却された駐車カード又は定期カード等が、利用者により抜き取られると（又は、駐車カードがレシートとして返却されない場合には、該駐車カードが挿入され精算済みの判定がなされると）、それまで上記他方のバーキャッチャー１７に先端側が支持され水平状態とされていた上記他方の開閉バー１６は、上記駆動部の駆動により垂直状態となされ、この結果、車両は直進することが可能となる。そして、このように車両が直進し、上記第３の車両検出部２３上から車両が移動し、上記第４の車両検出部２４により車両の通過が検出される（出庫処理が完了される）と、それまで垂直状態とされていた上記一他方の開閉バー１６は、図示しない上記駆動部が再び駆動し元の状態（水平状態）に復帰する。
【００３０】
また、この無人有料駐車場システムでは、無人有料駐車場の敷地内であって、上記出口ゲート２の前方（出庫方向）の左側には、図１に示すように、表示装置２６が設置され、この表示装置２６は、図２に示すように、回転ランプ２７と、空車状況を知らせる表示ランプ２８とから構成され、上記回転ランプ２７は、上記出庫操作装置１５に電気的に接続され、上記表示ランプ２８は、上記駐車カード発行装置３に電気的に接続されている。なお、上記表示ランプ２８は、満車を表示する図示しない「満」及び空車を表示する「空」の文字がそれぞれ表示され、駐車カード発行装置３から発行され且つ上記第２の車両検出部１０を通過した数から駐車料金の精算が完了した数を減じた数が、駐車スペースの数に満たない場合には、上記「空」の文字が点灯し、上記数が駐車スペースの数に達した場合には、「満」の文字が点灯するように構成されている。また、このように、表示ランプ２８により「満」の文字が点灯した場合には、上記駐車カード発行装置３による駐車カードの発行は中止される。また、この無人有料駐車場システムにおいては、上記回転ランプ２７は、上記出庫操作装置１５により上述した出庫処理が完了されると駆動を開始し、第三者の注意が促されるように構成されている。なお、上記表示装置２６の近傍には、一次電源装置２９が設置されている。
【００３１】
そして、上記一次電源装置２９の近傍には、図１に示すように、本実施の形態に係る駐車料金精算装置３０が設置されている。この駐車料金精算装置３０は、図２に示すように、上記駐車カード発行装置３に電気的に接続され、また、該駐車カード発行装置３を介して上記出庫操作装置１５に電気的に接続されている。そして、この駐車料金精算装置３０は、図５に示すように、正面には、上記駐車カード発行装置３により発行された駐車カード，定期カード，プリペイドカード又は回数券，サービス券が挿入されるカード挿入口３１が形成されている。なお、上記駐車カード，定期カード，プリペイドカード又は回数券，サービス券（及び後述するフリーパスカード，小額プリペイドカード）は、本発明を構成する精算用カードである。また、このカード挿入口３１は、後述するように、この駐車料金精算装置３０により発行される定期カード，プリペイドカード又は後述する使い捨てカードとしてのフリーパスカード若しくは小額プリペイドカードやレシートとしての使い捨てカードが排出される排出口でもある。
【００３２】
また、この駐車料金精算装置３０には、上記カード挿入口３１の下方に、駐車料金を精算する際に硬貨を投入する硬貨投入口３２が形成され、さらに、この硬貨投入口３２の下方には、紙幣投入口３３が形成されている。また、上記紙幣投入口３３の下方には、つり札が排出されるつり札排出口３４が形成され、このつり札排出口３４の隣には、つり銭が排出されるつり銭排出口３５が形成されている。また、このつり銭排出口３５のやや上方には、レシートボタン３６が設けられ、このレシートボタン３６が押圧操作されると、後述する動作を経てレシート（又はレシートとしての駐車カード）が上記カード挿入口３１から排出される。また、上記カード挿入口３１の上方には、表示部３８が設けられ、この表示部３８の下方には、第１乃至第１０の操作ボタン３９・・・４８が形成され、さらにこれら第１乃至第１０の操作ボタン３９・・・４８の隣には、カード購入／更新ボタン４９，確認ボタン５０及び訂正ボタン５１が形成されている。なお、これら第１乃至第１０の操作ボタン３９・・・４８，カード購入／更新ボタン４９，確認ボタン５０及び訂正ボタン５１は、それぞれ本発明を構成する操作部である。そして、上記第１乃至第１０の操作ボタン３９・・・４８には、それぞれ「１」・・・「１０」の番号（符号は省略する。）が表示されている。なお、この駐車料金精算装置３０は、箱状に成形され正面は開放された装置本体（符号は省略する。）と、この装置本体の正面を開閉する開閉扉（符号は省略する。）と、を備え、上述したこの駐車料金精算装置３０の正面に形成された各構成要素は、上記開閉扉の正面に設けられている。
【００３３】
そして、上記駐車料金精算装置３０を構成する上記装置本体内には、図６又は図７に示すように、上記カード挿入口３１の後方にカード処理装置５３が形成され、このカード処理装置５３の後方上部には、後述するリライトカードを収容する第１のカード収容部５４（本発明を構成するカード収容部）が設けられている。そして、上記カード処理装置５３内やその近傍には、上記カード挿入口３１から挿入された駐車カード，定期カード，プリペイドカード又は回数券，サービス券，後述するフリーパスカード又は小額プリペイドカードを内部に搬送し、また内部に搬送された上記駐車カード，定期カード等を上記カード挿入口３１方向に搬送するとともに、上記第１のカード収容部５４内に収容されたリライトカード（又は、後述するように、レシートとして利用者に返却される駐車カード）を該カード挿入口３１内に搬送する第１の搬送機構が設けられている。また、上記第１の収容部５４内に多数枚収容された上記リライトカードは、本発明を構成する一方のカードであり、ポリエチレンテレフタレート等からなる樹脂製の基材の表面には、所定の温度となるように加温させることにより、印字・消去されるロイコ染料が塗布され、裏面には、磁気記録層が形成されてなるものである。そして、上記カード処理装置５３には、図６に示すように、該カード処理装置５３内において、上記リライトカードの表面に、後述する定期カードの利用期限情報又はプリペイドカードの利用可能残高情報を可視的に記録するサーマルヘッド５７が設けられ、またこのサーマルヘッド５７の近傍には、既に可視的に記録された上記利用期限情報又は利用可能残高情報を消去する消去ヘッド５８が配設されている。これらサーマルヘッド５７は、本発明を構成する記録部である。そして、このサーマルヘッド５７及び消去ヘッド５８は、上記第１の搬送機構により搬送される定期カード等の搬送ルートの中途部に配設されている。また、このカード処理装置５３内であって、上記サーマルヘッド５７の配設位置よりも手前側（駐車料金精算装置３０の正面側）中途部の下方には、上記駐車カードや後述する定期カード，フリーパスカード，プリペイドカード，小額プリペイドカード，回数券，サービス券に記録された非可視情報（磁気記録情報）を読み出すとともに、該定期カード又はプリペイドカード等に非可視情報を記録する（書込む）磁気ヘッド（読出し及び書込み用磁気ヘッド）６０が配設されている。
【００３４】
また、上記カード処理装置５３の下方には、図６及び図７に示すように、回収ボックス６１が設けられ、この回収ボックス６１の斜め上方には、上記カード挿入口３１から挿入され上記第１の搬送機構を介して上記カード処理装置５３の後方に搬送された駐車カード，回数券又はサービス券を、該回収ボックス６１内に搬送する図示しない第２の搬送機構が設けられている。また、この駐車料金精算装置３０は、上記図示しない第１の搬送機構と、この第２の搬送機構との間には、図示しない切替フラッパーが設けられ、この切替フラッパーの駆動により、上記第１の搬送機構により搬送された駐車カードや回数券又はサービス券を上記第２の搬送機構に導くように構成されている。
【００３５】
また、上記第１のカード収容部５４の下方には、図６に示すように、第２のカード収容部６４と、この第２のカード収容部６４に並列した第３のカード収容部６５が設けられている。これら第２及び第３のカード収容部６４，６５は、それぞれ本発明を構成する他のカード収容部である。そして、この第２のカード収容部６４内には、一方のつづら折れカード６６が収容され、第３のカード収容部６５には他方のつづら折れカード６６が収容されている。これら一方及び他方のつづら折れカード６６は、図８に示すように、略長方形状に成形された紙製の使い捨てカード６７が、端部の２箇所に形成された接続部６６ａ，６６ａを介して連続してなるものであり、これら一方及び他方のつづら折れカード６６は、上記各接続部６６ａ，６６ａで折曲され各使い捨てカード６７が上下に積層された状態で上記第２のカード収容部６４又は第３のカード収容部６５にそれぞれ収容されている。なお、上記各使い捨てカード６７は、表面が、上記サーマルヘッド５７により利用期限情報や利用可能残高情報，利用金額情報等の可視情報が記録される部位となされ、裏面には、上記利用期限情報，清算金額，精算日時等の非可視情報が記録される図示しない磁気記録層が形成されている。そして、上記第２及び第３のカード収容部６４，６５の上方には、これら一方又は他方のつづら折れカード６６（使い捨てカード６７）を、上記図示しない第１の搬送機構に搬送する図示しない第３の搬送機構が設けられ、この第３の搬送機構の中途部には、図６に示すように、上記一方又は他方のつづら折れカード６６の各接続部６６ａ，６６ａの形成位置において切断するカッター６９が設けられている。なお、この駐車料金精算装置３０においては、上記第３の搬送機構の上流側（上記第２及び第３のカード収容部６４，６５側）には、上記第２のカード収容部６４内に収容された一方のつづら折れカード６６と上記第３のカード収容部６５内に収容された他方のつづれ折れカード６６との何れかを択一的に上記第３の搬送機構に導く図示しないクラッチが配設されている。そして、このクラッチは、後述するセンサにより、上記第２のカード収容部６４又は第３のカード収容部６５から搬送されていた一方のつづら折れカード６６が全て搬送されたことが検出されることにより動作するものであり、この駐車料金精算装置３０においては、以後は、上記第３のカード収容部６５内又は第２のカード収容部６４内に収容された他方のつづら折れカード６６又は一方のつづら折れカード６６が上記第３の搬送機構を介して搬送されるように構成されている。
【００３６】
なお、上記駐車料金精算装置３０を構成する第１及び第３の搬送機構，上記第１のカード収容部５４，第２及び第３のカード収容部６４，６５，サーマルヘッド５７，磁気ヘッド（読出し及び書込み用磁気ヘッド）６０は、本発明を構成するカード発行機構である。
【００３７】
そして、上記駐車料金精算装置３０を構成する表示部３８，第１乃至第１０の操作ボタン３９・・・４８，カード購入／更新ボタン４９，確認ボタン５０，訂正５１，図示しない第１乃至第３の搬送機構，上記サーマルヘッド５７，上記磁気ヘッド６０等は、図示しない中央演算処理装置（ＣＰＵ）に電気的に接続されてなるとともに、上記カード発行機構の構成要素や、上述した第２の搬送機構，上記カッター６９，クラッチ，第３の搬送機構等は、以下に説明する各センサを介して動作する。図９は、上記各センサの配設位置を示すものであり、上記カード挿入口３１内には、該カード挿入口３１内に、上記駐車カード，定期カード，プリペイドカード（小額プリペイドカードを含む），フリーパスカード，サービス券，回数券等が挿入された否かを検出する第１のセンサ７０が配設され、この第１のセンサ７０の後方には、後述するように、一旦上記カード挿入口３１から挿入された駐車カードがレシートとして返却された際、更新された定期カード又は更新されたプリペイドカードが返却された際、または上記一方又は他方のつづら折れカード６６がレシートとして返却された際に、該各駐車カード（レシート），更新された定期カード又はプリペイドカード等の存在を検出する第２のセンサ７１が配設されている。なお、この駐車料金精算装置３０においては、上記第１のセンサ７０は、上記カード挿入口３１における上記各カード（符号は省略する。）の挿入方向又は排出方向に、図示しない一方の検出部と他方の検出部とが並んで配設されてなるものであり、各カードが何れの方向から通過したかが検出できるように構成されている。また、上記磁気ヘッド６０の後方には、第３のセンサ７２が配設されている。この第３のセンサ７２は、上記磁気ヘッド６０の駆動が開始される条件の一つとなるセンサであり、該磁気ヘッド６０により非可視情報が記録される上記定期カード，プリペイドカード又は使い捨てカード６７の存在を検出するものである。また、この第３のセンサ７２の近傍には、第４のセンサ７３が形成されている。この第４のセンサ７３は、上記第１の搬送機構により上記第１のカード収容部５４から搬送された上記定期カード又はプリペイドカードとなるリライトカードや、更新される定期カード又は更新されるプリペイドカードが該第４のセンサ７３の配設位置まで到達したか否かを検出するものであり、この第４のセンサ７３により上記リライトカード等の存在が検出されると、上記サーマルヘッド５７の駆動が開始され、該リライトカード等に利用期限情報又は利用可能金額情報が記録される。
【００３８】
また、上記第４のセンサ７３の配設位置よりも後方であって、上記カード処理装置５３の後方には、第５のセンサ７４が配設されている。この第５のセンサ７４は、上記カード挿入口３１から挿入された駐車カード，更新される定期カード又は更新されるプリペイドカードが、一旦上記第１の搬送機構により上記カード処理装置５３の後方に搬送されたこと検出するものである。また、上記サーマルヘッド５７の配設位置よりもカード挿入口３１側には、該サーマルヘッド５７をセットする第６のセンサ７５が配設されている。また、サーマルヘッド５７の近傍には、第７のセンサ７６が配設され、この第７のセンサ７６は、上記サーマルヘッド５７と消去ヘッド５８が上昇状態にあることを検出するものである。また、上記消去ヘッド５８の近傍には、第８のセンサ７７が配設されている。この第８のセンサ７７は、上記サーマルヘッド５７と消去ヘッド５８が下降状態にあることを検出するものである。そして、上記第５のセンサ７４よりもさらに後方には、第９のセンサ７８が配設され、この第９のセンサ７８は、上記図示しない第１の搬送機構により、上記第１のカード収容部５４の下方に搬送された（駐車カード，更新される定期カード又は更新されるプリペイドカードが一時プールされた）ことを検出するものである。
【００３９】
また、上記第１のカード収容部５４の近傍であって、上記図示しない第１の搬送機構の上流側には、第１０のセンサ７９が配設されている。この第１０のセンサ７９は、上記第１のカード収容部５４からリライトカードが放出されたことを検出するものである。また、上記図示しない第３の搬送機構の中途部に設けられたカッター６９の近傍には、第１１のセンサ８０が配設されている。この第１１のセンサ８０は、上記カッター６９の駆動により上記一方又は他方のつづら折れカード６６が切断されたことを検出するものであり、このように、カッター６９により上記つづら折れカード６６が使い捨てカード６７として切断されると、上記第３の搬送機構が作動し、該切断された使い捨てカード６７の長さに対応した長さ分、上記つづら折れカード６６が該第３の搬送機構により搬送される。また、上記第２のカード収容部６４と上記図示しないクラッチとの間には、第１２のセンサ８１が、また、上記第３のカード収容部６５と上記クラッチとの間には、第１３のセンサ８２がそれぞれ配設されている。これら第１２のセンサ８１及び第１３のセンサ８２は、それぞれ上記一方又は他方のつづら折れカード６６の存在を検出するものであり、該一方又は他方のつづら折れカード６６の何れかが、全て上記第３の搬送機構により搬送（排出）されると、これら第１２又は第１３のセンサ８１，８２の何れかによりそのことが検出される。したがって、例えば、上記第２のカード収容部６４内に収容されていた一方のつづら折れカード６６の全てが上記第３の搬送機構により搬送（排出）されたことが上記第１２のセンサ８１により検出されると、上記図示しないクラッチが駆動し、上記第３のカード収容部６５に収容されている他方のつづら折れカード６６の搬送が開始される。また、上記第２の搬送機構の中途部であって、上記回収ボックス６１側には、後述するように、駐車カード，回数券，サービス券等が回収されたことを検出する第１４のセンサ８３が配設されている。
【００４０】
なお、この駐車料金精算装置３０は、上述した構成要素以外に、図７に示すように、上記硬貨投入口３２の後方には、コインリフター８５やコイン管理装置８６が設けられ、また、上記紙幣投入口３３やつり札排出口３４の後方には、紙幣還流装置８７が設けられている。また、上記コイン管理装置８６の下方には、上記硬貨投入口３２から投入された貨幣が収容される回収ボックス８８が設けられ、また、上記つり銭排出口３５の上方には、コイン補助機８９が設けられている。また、上記回収ボックス８８の後方には、この駐車料金精算装置３０の端子台９０や図示しない電源盤が配設されている。
【００４１】
また、こうした駐車料金精算装置３０により発行される上記定期カード，プリペイドカード等について簡単に説明すると、この駐車料金精算装置３０により発行される定期カードは、図１０に示すように、利用できる曜日及び利用時間が限定されない第１の定期カード１００（図１０（Ａ）参照）と、平日で利用時間が限定されない第２の定期カード１０１（図１０（Ｂ）参照）と、月曜日から土曜日まで利用することができる第３の定期カード１０２（図１０（Ｃ）参照）と、夜間（例えば、午後６時から１２時）のみ利用することができる第４の定期カード１０３（図１０（Ｄ）参照）である。これら第１乃至第４の定期カード１００・・・１０３は、全て上記第１のカード収容部５４に収容されたリライトカードであって、表面には、上記サーマルヘッド５７により、発行番号１００ａ・・・１０３ａ，種別１００ｂ・・・１０３ｂ，利用可能開始日１００ｃ・・・１０３ｃ，利用可能期限１００ｄ・・・１０３ｄ，購入日１００ｅ・・・１０３ｅ，購入金額１００ｆ・・・１０３ｆ，購入回数１００ｇ・・・１０３ｇ等の管理情報並びに無人有料駐車場の名称，注意事項等の情報が可視的に記録され、裏面に形成された上記磁気記録層にも上記管理情報が磁気記録されている。また、上記プリペイドカードとしては、図１１中（Ａ）又は（Ｂ）に示すように、利用可能残高情報に応じた数種類がこの駐車料金精算装置３０により（本実施の形態においては）２種類のプリペイドカード１０４，１０５発行されるようになされ、各プリペイドカード１０４、１０５の表面には、それぞれ上記サーマルヘッド５７により、発行番号１０４ａ，１０５ａ，利用可能残高１０４ｂ，１０５ｂ，購入日１０４ｃ，１０５ｃ，購入回数１０４ｄ，１０５ｄ等のプリペイドカード情報、無人有料駐車場の名称，注意事項に関する情報が可視的に記録され、裏面に形成された上記磁気記録層には上記磁気ヘッド６０により上記管理情報が磁気記録されている。
【００４２】
また、この駐車料金精算装置３０からは、上記通常の定期カードやプリペイドカードばかりではなく、図１２に示すように、定期カードの一種類としてのフリーパスカード１０６や、図示しない小額プリペイドカードが発行される。このフリーパスカード１０６は、図１２に示すように、発行番号１０６ａ，種別１０６ｂ，利用可能開始日１０６ｃ，利用可能期限１０６ｄ，購入金額１０６ｅ等の管理情報並びに無人有料駐車場の名称，注意事項等の情報が可視的に記録され、裏面に形成された上記磁気記録層にも上記管理情報が磁気記録されている。このフリーパスカード１０６は、上記定期カードとして発行される最低利用期限よりも短い期間利用することができる使い捨てカードであり、また、上記図示しない小額プリペイドカードは、通常のプリペイドカードとして発行される最低利用残高よりも低い小額の利用可能残高情報が記録されるものである。そして、このフリーパスカード１０６及び小額プリペイドカードは、前記第２又は第３のカード収容部６４，６５に収容された一方又は他方のつづら折れカード６６から切断された使い捨てカード６７の表面に、上記サーマルヘッド５７により、発行番号，種別，利用可能開始日，利用可能期限又は利用残高，購入金額等の管理情報、無人有料駐車場の名称，注意事項に関する情報が可視的に記録され、裏面に形成された上記磁気記録層には、上記磁気ヘッド６０により上記管理情報が磁気記録されたものである。また、この駐車料金精算装置３０からは、図示しないレシート（領収書）が発行される。このレシートは、上記つづら折れカード６６から切断された使い捨てカード６７の表面に、上記サーマルヘッド５７により、「領収書」の文字，上記定期カード又はプリペイドカードの購入金額，入金金額，（お釣りがある場合には）お釣り金額及び精算日時等が可視的に記録されたものである。
【００４３】
以下、上述した構成に係る駐車料金精算装置３０の動作について、それぞれ図１３乃至図２０に示す各フローチャートと、駐車カード，定期カード，プリペイドカード又は使い捨てカード（フリーパスカード又はレシート）の移動動作を模式的に示す図２１乃至図２７とをそれぞれ参照しながら詳細に説明する。
【００４４】
先ず、図１３に示すフローチャートにおいて、ステップｓｔ１においては、前記表示部３８に待機画面が表示されている。この待機画面は、例えば、「一時利用の方は駐車カードをお入れ下さい。カード（定期カード，プリペイドカード又はフリーパスカード若しくは小額プリペイドカード）購入又は更新の方は、カード購入／更新ボタンを押して下さい。」といった内容が表示される。次いで、ステップｓｔ２においては、カード購入／更新ボタン４９が押圧されたか否かが判別され、該カード購入／更新ボタン４９が押圧されない場合には、次いで、ステップｓｔ３において、駐車カードが上記カード挿入口３１に挿入されたか否かが判別される。なお、このように駐車カードがカード挿入口３１に挿入されたか否かは、上記第１のセンサ７０により検出する。そして、ステップｓｔ３において、駐車カードが挿入されたと判別された場合には、図１４に示すステップｓｔ４に進み、挿入された駐車カードの記録部に磁気記録された入庫日時，入庫番号等の非可視情報が上記磁気ヘッド６０により読み出されるとともに、図２１に示すカード処理装置５３の後方であって上記第９のセンサ７８の配設位置まで、該駐車カードを搬送し、一時該駐車カードをプールする。こうした駐車カードの搬送は、上記第１の搬送機構の駆動により行われ、上記位置に駐車カードがプールされたか否かは、上記第９のセンサ７８により検出される。なお、上記ステップｓｔ３において、駐車カードが挿入されたと判別されない場合には、再びステップｓｔ１に戻る。
【００４５】
また、ステップｓｔ５においては、上記カード挿入口３１から挿入された駐車カードが事前精算可能な駐車カードであるか否かが判別される。このステップｓｔ５において、事前精算不可能な駐車カードであると判別された場合には、ステップｓｔ６に進み、上記表示部３８に、事前精算不可能な駐車カードである旨や精算済みの駐車カードである旨が表示される。因みに、この事前精算不可能な駐車カードとは、上記カード挿入口３１から挿入された駐車カードが、例えば、他の無人有料駐車場において発行された駐車カード，精算済みの駐車カード，或いは、極めて長期間精算がされずに放置された駐車カード等である場合を指す。また、ステップｓｔ６において上記表示がなされると、次いで、ステップｓｔ７に進み、上記プールされた駐車カードは、上記第１の駆動機構の駆動により、再び上記カード挿入口３１から一端が露出するまで搬送（返却）される。次いで、ステップｓｔ８においては、上記カード挿入口３１から一端が露出した駐車カードが抜き取られたか否かが判別され、抜き取られた場合には、この駐車料金精算装置３０の動作は終了する。
【００４６】
一方、上記ステップｓｔ５において、挿入された駐車カードが事前精算可能な駐車カードであると判別された場合には、ステップｓｔ９に進み、駐車料金及び精算方法に関する情報が上記表示部３８に表示される。次いで、ステップｓｔ１０では、現金（紙幣及び／又は硬貨）が、上記紙幣投入口３３及び／又は硬貨投入口３２から投入されたか否かが判別され、現金が投入されたと判別された場合には、ステップｓｔ１１において、請求料金（駐車料金）を減額して、上記表示部３８に再表示される。そして、ステップｓｔ１２において、投入された現金が請求金額（駐車料金）に到達したか否かが判別される。また、上記ステップｓｔ１０において、現金が投入されないと判別した場合には、ステップｓｔ１３において、上記カード挿入口３１から回数券（金券）が挿入されたか否かが判別される。このステップｓｔ１３において、回数券が挿入されことが判別されると、ステップｓｔ１４に進む。このステップｓｔ１４では、上記表示部３８に請求金額（駐車料金）を減額して再表示するとともに、挿入された回数券を上記回収ボックス６１に回収し、上記ステップｓｔ１２に進む。なお、このように、回数券を回収する場合には、上記図示しない切替フラッパーが駆動し、該回数券は、上記第１の搬送機構の中途部から上記第２の搬送機構に導かれる。
【００４７】
また、上記ステップｓｔ１３において、回数券が挿入されないことが判別されると、次いで、サービス券が挿入されたか否かが判別され（ステップｓｔ１５）、サービス券が挿入されたと判別されると、ステップｓｔ１６において、駐車料金からサービス料金が減額された請求金額が上記表示部３８に表示されるとともに、上記挿入されたサービス券は、上記ステップｓｔ１４における回数券の動作と同じように、上記回収ボックス６１に回収され、上記ステップｓｔ１２に進む。また、上記ステップｓｔ１５において、サービス券が挿入されないことが判別されると、ステップｓｔ１７において、プリペイドカード（上記小額プリペイドカードを含む。）が挿入されたか否かが判別される。このステップｓｔ１７において、プリペイドカード（上記小額プリペイドカードを含む。）が挿入されないと判別された場合には、上記ステップｓｔ１０に戻る。一方、上記プリペイドカード（上記小額プリペイドカードを含む。）が挿入されたと判別された場合には、ステップｓｔ１８において、上記表示部３８に、請求金額（駐車料金）を再度表示する。また、このステップｓｔ１８においては、上記挿入されたプリペイドカード（上記小額プリペイドカードを含む。）の表面に、図１１に示すように、上記サーマルヘッド５７により、（今回の）利用金額（駐車料金），精算日時，該プリペイドカードの挿入時における利用可能残高から上記駐車料金を減額した残高（利用可能残高）の履歴情報がそれぞれ記録（印字）される（可視的に記録される）とともに、裏面に形成された磁気記録層にも、上記磁気ヘッド６０により上記利用金額，精算日時等が磁気記録（非可視的に記録）される。なお、上記プリペイドカードの表面に上記履歴情報が上方から下方に可視的に記録され、こうした履歴情報を記録するスペースが無くなった場合には、それまで記録された履歴情報は全て上記消去ヘッド５８により消去され新たな履歴情報が最も上方に記録される。また、こうした動作がなされると、上記カード挿入口３１から挿入されたプリペイドカード（上記小額プリペイドカードを含む。）は、上記第１の搬送機構の駆動により、該プリペイドカード（上記小額プリペイドカードを含む。）の一端が上記カード挿入口３１から露出される。そして、こうした動作がなされると、次いで、ステップｓｔ１９に進み、上記プリペイドカード（上記小額プリペイドカードを含む。）が抜き取られたか否かが判別され、該プリペイドカード（上記小額プリペイドカードを含む。）が抜き取られたと判別された場合には、上記ステップｓｔ１２に進む。
【００４８】
なお、上述したように、カード挿入口３１から上記回数券又はサービス券が挿入されると、上記第１のセンサ７０によりそれが検出され、上記図示しない第１の搬送機構が駆動することにより、該回数券又はサービス券は、図２１に示すように、上記第５のセンサ７４の配設位置の手前まで搬送され、その位置でプールされる。こうした回数券又はサービス券の搬送途中において、上記磁気ヘッド６０により、該回数券又はサービス券の裏面に形成された磁気記録部に記録された金額情報が読み出される。こうした動作の後に、上記ステップｓｔ１４又はステップｓｔ１６の動作がされる。そして、このように上記磁気ヘッド６０による金額情報の読み出しが完了すると、前述した位置でプールされた回数券又はサービス券は、それぞれ図示しない第２の搬送機構の駆動により、上記回収ボックス６１に回収される。一方、上記カード挿入口３１に上記プリペイドカード（上記小額プリペイドカードを含む。）が挿入された場合には、上記回数券等と同じ動作により、一旦上記第５のセンサ７４の配設位置の手前まで搬送され、その位置でプールされるとともに、搬送途中において、上記磁気ヘッドにより利用可能残高情報が読み出されると、再び第１の搬送機構を介して上記カード挿入口３１方向に搬送される。この際、このプリペイドカード（上記小額プリペイドカードを含む。）の表面には、上記サーマルヘッド５７により、（今回の）利用金額（駐車料金），精算日時，該プリペイドカードの挿入時における利用可能残高から上記駐車料金を減額した残高（利用可能残高）がそれぞれ記録（印字）される。こうしたサーマルヘッド５７による印字がされると、さらに、このプリペイドカード（上記小額プリペイドカードを含む。）は、上記第１の搬送機構により再び上記プールされた位置に戻され、さらにこの位置から上記磁気ヘッド６０により上述した情報が磁気記録される。
【００４９】
また、上述したように、現金の投入又は回数券，サービス券若しくはプリペイドカード（上記小額プリペイドカードを含む。）の挿入により、上記ステップｓｔ１２において、請求金額（駐車料金）に到達したと判別された場合には、ステップｓｔ２０に進む。このステップｓｔ２０においては、図２２に示す第９のセンサ７８の配設位置近傍にそれまでプールされていた駐車カードを、再び上記カード挿入口３１方向に搬送し、この搬送途中において、上記磁気ヘッド６０により、該駐車カードの裏面に駐車料金が精算された旨が磁気記録される。なお、このステップｓｔ２０においては、ステップｓｔ３における駐車カードの挿入が確認された後に、図５に示すレシートボタン３６が押圧操作された場合には、この駐車カードに、精算日時，精算金額（駐車料金）等の領収情報が上記サーマルヘッド５７により印字（可視的に記録）される。また、このように、レシートボタン３６が押圧操作された場合には、上記磁気ヘッド６０により、この駐車カードがレシートとして、前記出口操作装置１５に内蔵された読出し部により読み出される情報が磁気記録される。したがって、上記レシートボタン３６が押圧操作された場合には、それまで図２２に示す第９のセンサ７８の配設位置近傍にプールされていた駐車カードは、第１の搬送機構により、上記カード挿入口３１側に搬送され、上記磁気ヘッド６０により、該駐車カードの裏面に駐車料金が精算された旨の情報が書き込まれる。その後、この磁気ヘッド６０により書き込まれた（磁気記録された情報が正確に記録されたか否かが該磁気ヘッド６０により読み出され、これが正しいと判別された場合には、上記サーマルヘッド５７により領収内容が印字され、こうした印字が終了すると、上記第５のセンサ７４の手前まで戻され、次いで、上記カード挿入口３１方向に搬送される。こうした搬送途中において、と、出口操作装置１５に内蔵された読出し部により読み出される情報とが磁気記録され、このように磁気記録が終了すると、該駐車カードは、上記図示しない上記第１の搬送機構の駆動により、一端が上記カード挿入口３１から露出される。
【００５０】
また、こうした動作が終了すると、図１５に示すステップｓｔ２１では、お釣りがあるか否かが判別され、お釣りがある場合には、さらにつり銭切れか否が判別される（ステップｓｔ２２）。つり銭が切れていない場合には、ステップｓｔ２３において、上記つり銭排出口３５及び／又はつり札排出口３４からお釣りが排出される。また、つり銭切れである場合には、ステップｓｔ２４において、お釣りとして利用者に返却されるお釣り金額情報（預かり金額情報）が記憶部に記憶され、ステップｓｔ２５に進む。このステップｓｔ２５においては、一端がカード挿入口３１から露出した上記駐車カードが抜き取られたか否かが判別される。そして、このように、駐車カードがカード挿入口３１から抜き取られ、または、上記ステップｓｔ２３においてお釣りが放出され、若しくは、ステップｓｔ２４において利用者に返却されるお釣り金額が記憶部に記憶されると、ステップｓｔ２６において、事前精算が終了した旨の情報が上記表示部３８に表示される。また、こうした動作がステップｓｔ２６においてなされると、次いで、ステップｓｔ２７において、預かり金額（上記お釣りとして利用者に返却されるお釣り金額情報）が存在するか否かが判別され、該預かり金額がない場合には、終了する。また、上記預かり金額がある場合には、ステップｓｔ２８に進み、上記一方又は他方のつづら折れカード６６（切断された使い捨てカード６７）が、上記第３の搬送機構及び第１の搬送機構を介して上記カード挿入口３１方向に搬送され、該使い捨てカード６７の表面には、上記サーマルヘッド５７により預かり金額及び精算日時等が可視的に印字されるとともに、裏面には、上記磁気ヘッド６０により預かり金額及び精算日時が磁気記録され、上記カード挿入口３１からレシート（預り証）として返却され、ステップ２９において、このレシート（預り証））が抜き取られると、事前精算に係る一連の動作は終了する。なお、この駐車料金精算装置３０においては、このように返却されたレシート（預り証）は、前述した回数券又はサービス券と同様の構成からなるカードとされ、該回数券又はサービス券として駐車料金の精算に使用できるようにされている。
【００５１】
また、上記ステップｓｔ２において、カード購入／更新ボタン４９が押圧されたと判別された場合には、図１３に示すように、ステップｓｔ３０に進む。このステップｓｔ３０では、上記表示部３８に、定期カード又はプリペイドカードの新規購入若しくはこれらを更新するか否かを尋ねる案内情報と、この表示部３８の下方に設けられた第１乃至第１０の操作ボタン３９・・・４８に表示された番号の全部又は一部に対応する詳細情報がそれぞれ表示される。例えば、上記案内情報としては、「新規に購入する番号又は更新する番号を押して下さい。」なる文字が表示され、また、上記詳細情報としては、例えば、「１．定期カード（新規）２．定期カード（更新）３．プリペイドカード（新規）４．プリペイドカード（更新）」なる文字が表示される。こうしたステップｓｔ３０における動作が終了すると、次いで、ステップｓｔ３１において、定期カードの新規購入が選択されたか否かが判別される。そして、このステップｓｔ３１において、定期カードの新規購入が選択されない場合には、次いで、ステップｓｔ３２において、定期カードの更新が選択されたか否かが判別され、定期カードの更新が選択されない場合には、次いで、ステップｓｔ３３において、プリペイドカードの新規購入が選択されたか否かが判別され、このプリペイドカードの新規購入が選択されない場合には、さらに、プリペイドカードの更新が選択されたか否かが判別される（ステップｓｔ３４）。なお、こうしたステップｓｔ３１乃至ステップｓｔ３４における判別は、上記例では、「１」の番号が表示された上記第１の操作ボタン３９，「２」の番号画表示された第２の操作ボタン４０，「３」の番号が表示された第３の操作ボタン４１又は「４」の番号が付された第４の操作ボタン４２の何れかが押圧操作されたか否かで判別される。
【００５２】
そして、上記ステップｓｔ３１において、定期カードの新規購入が選択されたと判別された場合には、図１６に示すように、ステップｓｔ３５に進み、このステップｓｔ３５では、上記表示部３８に駐車カードの挿入を促す案内情報が表示される。次いで、ステップｓｔ３６においては、駐車カードが上記カード挿入口３１から挿入されたか否かが判別され、挿入されたと判別された場合には、ステップｓｔ３７において、該駐車カードの裏面に磁気記録された情報を上記磁気ヘッド６０により読み出すとともに、図２３に示すように、該駐車カードを上記第９のセンサ７８の配設位置に搬送しプールする。そして、ステップｓｔ３８においては、このプールされた駐車カードが長期駐車か否かが判別され、長期駐車であると判別された場合には、上記表示部３８に定期カードの購入が不能である旨の情報が表示され（ステップｓｔ３９）、それまでプールされていた駐車カードは再び一端が上記カード挿入口３１から露出するよう搬送される（ステップｓｔ４０）。そして、ステップｓｔ４１では、上記カード挿入口３１から露出した駐車カードが抜き取られたか否かが判別され、抜き取られた場合には終了する。
【００５３】
また、上記ステップｓｔ３８において、長期駐車ではないと判別された場合には、上記第１乃至第１０の操作ボタン３９・・・４８に表示された番号の全部又は一部との対応関係の下に、上記表示部３８に定期カードの種類に関する情報と、購入金額に関する情報とがそれぞれ表示される（ステップｓｔ４２）。なお、この表示部３８に表示される定期カードの種類としては、前述した第１乃至第４の定期カード１００・・・１０３ばかりではなく、該定期カード（符号は省略する。）として発行される最低利用期限よりも短い期間利用することができるフリーパスカード１０６（使い捨てカード）も含まれている。そして、ステップｓｔ４３では、上記第１乃至第１０の操作ボタン３９・・・４８の何れかが押圧操作されたか（選択されたか）否かが判別される。そして、現金（紙幣及び／又は硬貨）が、上記紙幣投入口３３及び／又は硬貨投入口３２から投入される（ステップｓｔ４４）と、この投入金額に応じた金額が減算された請求金額情報（販売金額情報）が上記表示部３８に表示され（ステップｓｔ４５）、投入された金額が請求金額（販売金額）に到達したか否かが判別される（ステップｓｔ４６）。このステップｓｔ４６において、請求金額に到達したと判別されると、上記表示部３８に、定期カードの購入及び精算が完了した旨の情報が表示され（ステップｓｔ４７）、それまでプールされていた駐車カードは、図２３に示すように、一旦上記第１の搬送機構の駆動により、上記カード挿入口３１方向に搬送される。こうした駐車カードの搬送途中において、上記磁気ヘッド６０により、該駐車カードの裏面に駐車料金が精算された旨が磁気記録され、さらに、このように磁気記録が終了すると、上記第１の搬送機構及び第２の搬送機構の駆動により、該駐車カードは、上記回収ボックス６１内に回収される（ステップｓｔ４８）。
【００５４】
また、こうした動作が終了すると、次いで、図１７に示すように、ステップｓｔ４９において、購入された定期カードが通常の定期カードであるかフリーパスカードであるか否か（短期定期カードか否か）が判別され、通常の定期カードである（短期定期カード：フリーパスカードではない）と判別された場合には、ステップｓｔ４５０に進む。このステップｓｔ５０では、図２４に示すように、上記第１のカード収容部５４に収容されたリライトカードが、上記図示しない第１の搬送機構の駆動により、上記カード処理装置５３内に搬送される。こうした搬送が完了すると、上記磁気ヘッド６０により、上記リライトカードの裏面に形成された磁気記録層に入庫日時や入庫番号等の入庫情報と、定期カードの種類，利用期限，購入金額，購入回数等の定期カード情報が磁気記録される。こうした磁気ヘッド６０による記録（書込み）動作が終了すると、上記第１の搬送機構の駆動により、カード処理装置５３から上記第５のセンサ７４の手前まで戻され、再度、該カード処理装置５３内に搬送され、上記サーマルヘッド５７により、上記定期カードの種類，利用期限，購入金額，購入回数等の定期カード情報が印字される。
【００５５】
一方、上記ステップｓｔ４９において、購入された定期カードが短期定期カード（フリーパスカード）であると判別された場合には、ステップｓｔ５１に進む。このステップｓｔ５１では、上記つづら折れカード６６により、フリーパスカードが発行される。すなわち、利用者により選択された定期カードがフリーパスカードである場合には、図２５に示すように、上記第３の搬送機構の駆動により、例えば、第２のカード収容部６４から一方のつづら折れカード６６が引き出されるとともに上記カッター６９により切断されて一枚の使い捨てカード６７が取り出され、この一枚の使い捨てカード６７は、上記第１の搬送機構により上記カード処理装置５３内に搬送される。この時、この使い捨てカード６７には、裏面に形成された磁気記録層に入庫日時や入庫番号等の入庫情報と、定期カードの種類，利用期限，購入金額，購入回数等の定期カード情報が磁気ヘッド６０により磁気記録される。こうした磁気ヘッド６０による記録（書込み）動作が終了すると、上記第１の搬送機構の駆動により、カード処理装置５３から上記第９のセンサ７８の配設位置まで戻され、再度、該カード処理装置５３内に搬送され、上記サーマルヘッド５７により、上記定期カードの種類，利用期限，購入金額，購入回数等の定期カード情報が印字される。なお、このように所定の可視情報が印字（記録）された上記リライトカード又は使い捨てカード６７は、定期カード又はフリーパスカードとして、一端が上記カード挿入口３１から外部に露出した状態となるまで搬送される。
【００５６】
また、上記図１３に示すステップｓｔ３２において、定期カードの更新が選択された場合には、図１８に示すステップｓｔ５２に進む。このステップｓｔ５２では、上記表示部３８に、更新する定期カードをカード挿入口３１内に挿入することを促す案内情報が表示され、次いで、更新する定期カードが該カード挿入口３１から挿入されたか否かが判別される（ステップｓｔ５３）。そして、このステップｓｔ５３において、上記更新する定期カードが挿入されたと判別された場合には、ステップｓｔ５４において、該挿入された定期カードに磁気記録された上記定期カードの種類，利用期限，購入金額，購入回数等の定期カード情報が磁気ヘッド６０により読み出され、上記カード処理装置５３内にプールされる。そして、このように、定期カード情報が磁気ヘッド６０により読み出されると、次いで、この挿入された定期カードが更新可能期間内であるか否かが判別され（ステップｓｔ５５）、更新可能期間内ではない場合には、ステップｓｔ５６に進み、上記表示部３８に、更新することができない旨を伝える案内情報が表示され、ステップｓｔ５７において、それまで内部にプールされていた定期カードを上記カード挿入口３１から一端が外部に露出するように搬送（定期カードの返却）し、ステップｓｔ５８において、該定期カードが抜き取られたか否かが判別される。この定期カードが抜き取られた場合には、この定期カードを更新する動作は終了する。
【００５７】
また、上記ステップｓｔ５５において、挿入された定期カードが更新可能期間内であると判別された場合には、上記ステップｓｔ４２での動作と同じように、上記第１乃至第１０の操作ボタン３９・・・４８に表示された番号の全部又は一部との対応関係の下に、上記表示部３８に定期カードの種類に関する情報と、請求金額に関する情報とがそれぞれ表示される（ステップｓｔ５９）。なお、このステップｓｔ５９において上記表示部３８に表示される請求金額は、更新前の定期カードに記録及び印字された更新回数に応じて、割引された金額となされている。そして、ステップｓｔ６０では、上記第１乃至第１０の操作ボタン３９・・・４８の何れかが押圧操作されたか（選択されたか）否かが判別される。そして、現金（紙幣及び／又は硬貨）が、上記紙幣投入口３３及び／又は硬貨投入口３２から投入される（ステップｓｔ６１）と、この投入金額に応じた金額が減算された請求金額情報（販売金額情報）が上記表示部３８に表示され（ステップｓｔ６２）、投入された金額が請求金額（販売金額）に到達したか否かが判別される（ステップｓｔ６３）。このステップｓｔ６３において、請求金額に到達したと判別されると、上記表示部３８に、定期カードの更新及び精算が完了した旨の情報が表示され（ステップｓｔ６４）、ステップｓｔ６５に進む。このステップｓｔ６５においては、既に挿入された定期カード（更新前の定期カード）に記録された利用可能期限情報等を書き換え（更新し）、この更新された新たな定期カードの一端が上記カード挿入口３１から外部に露出されるまで搬送する。すなわち、こうした定期カードの更新は、上記更新前の定期カードが上記カード挿入口３１から挿入されると、上記図示しない第１の搬送機構の駆動により、上記カード処理装置５３内に搬送し、上記磁気ヘッド６０により、該更新前の定期カードに記録された定期カード情報を読み出し、こうした読出しが終了すると、該カード処理装置５３内から第１の搬送機構の駆動により、上記第５のセンサ７４の近傍まで搬送しプールする。そして、このプールされた更新前の定期カードは、再び上記カード処理装置５３内に搬送され、上記磁気ヘッド６０により新たな定期カード情報が磁気記録されるとともに、該更新前の定期カードの表面に（可視的に）印字されていた定期カードの種別や利用可能期限情報は、上記消去ヘッド５８により一旦消去され、その後に、上記サーマルヘッド５７により新たに上記定期カードの種別や利用可能期限情報が印字され、こうした動作により更新された新たな定期カードが完成する。なお、上記磁気ヘッド６０により磁気記録される情報や、上記サーマルヘッド５７により印字される情報には、更新前の定期カードに記録されていた購入回数に１が加算した購入回数に関する情報が含まれる。
【００５８】
また、上記ステップｓｔ３３において、プリペイドカードの新規購入が選択された場合には、図１９に示すステップｓｔ６６に進む。このステップｓｔ６６では、上記第１乃至第１０の操作ボタン３９・・・４８に表示された番号の全部又は一部との対応関係の下に、上記表示部３８にプリペイドカードの種類に関する情報と、購入金額に関する情報とがそれぞれ表示される。なお、この表示部３８に表示されるプリペイドカードの種類としては、前述した第１又は第２のプリペイドカード１０４，１０５以外に上記小額プリペイドカードも含まれる。そして、ステップｓｔ６７では、上記第１乃至第１０の操作ボタン３９・・・４８の何れかが押圧操作されたか（選択されたか）否かが判別される。そして、現金（紙幣及び／又は硬貨）が、上記紙幣投入口３３及び／又は硬貨投入口３２から投入される（ステップｓｔ６８）と、この投入金額に応じた金額が減算された請求金額情報（販売金額情報）が上記表示部３８に表示され（ステップｓｔ６９）、投入された金額が請求金額（販売金額）に到達したか否かが判別される（ステップｓｔ７０）。このステップｓｔ７０において、請求金額に到達したと判別されると、上記表示部３８に、プリペイドカード（小額プリペイドカードを含む。）の購入及び精算が完了した旨の情報が表示される（ステップｓｔ７１）。
【００５９】
そして、ステップｓｔ７２においては、購入者から選択されたプリペイドカードの種別が長期の（通常の）プリペイドカードか否か、すなわち、上記小額プリペイドカードではないか否かが判別される。このステップｓｔ７２により、通常のプリペイドカードが選択されたことが判別されると、ステップｓｔ７３に進む、このステップｓｔ７３では、上記第１のカード収容部５４に収容されたリライトカードが、上記図示しない第１の搬送機構の駆動により、上記カード処理装置５３内に搬送される。こうした搬送が完了すると、上記磁気ヘッド６０により、上記リライトカードの裏面に形成された磁気記録層に入庫日時や入庫番号等の入庫情報と、プリペイドカードの種類，利用可能残高，購入金額，購入回数等のプリペイドカード情報が磁気記録される。こうした磁気ヘッド６０による記録（書込み）動作が終了すると、上記第１の搬送機構の駆動により、カード処理装置５３から上記第５のセンサ７４の近傍まで戻され、再度、該カード処理装置５３内に搬送され、上記サーマルヘッド５７により、上記プリペイドカードの種類，利用可能残高，購入金額，購入回数等のプリペイドカード情報が印字される。
【００６０】
一方、上記ステップｓｔ７２において、購入されたプリペイドカードが小額プリペイドカードであると判別された場合には、ステップｓｔ７４に進む。このステップｓｔ７４では、上記つづら折れカード６６により、小額プリペイドカードが発行される。すなわち、利用者により選択されたプリペイドカードが小額プリペイドカードである場合には、上記第３の搬送機構の駆動により、例えば、一方のつづら折れカード６６が引き出されるとともに上記カッター６９により切断されて一枚の使い捨てカード６７が取り出され、この一枚の使い捨てカード６７は、上記第１の搬送機構により上記カード処理装置５３内に搬送される。この時、この使い捨てカード６７には、裏面に形成された磁気記録層に入庫日時や入庫番号等の入庫情報と、プリペイドカードの種類，利用可能残高，購入金額，購入回数等のプリペイドカード情報が磁気ヘッド６０により磁気記録される。こうした磁気ヘッド６０による記録（書込み）動作が終了すると、上記第１の搬送機構の駆動により、カード処理装置５３から上記第５のセンサ７４の近傍まで戻され、再度、該カード処理装置５３内に搬送され、上記サーマルヘッド５７により、上記小額プリペイドカードの種類，利用可能残高，購入金額，購入回数等のプリペイドカード情報が印字される。なお、このように所定の可視情報が印字（記録）された上記リライトカード又は使い捨てカード６７は、通常のプリペイドカード又は小額プリペイドカードとして、一端が上記カード挿入口３１から外部に露出した状態となるまで搬送される。
【００６１】
また、上記ステップｓｔ３４において、プリペイドカードの更新が選択された場合には、図２０に示すステップｓｔ７５に進む。このステップｓｔ７５では、上記表示部３８に、更新するプリペイドカードをカード挿入口３１内に挿入することを促す案内情報が表示され、次いで、更新するプリペイドカードが該カード挿入口３１から挿入されたか否かが判別される（ステップｓｔ７６）。そして、このステップｓｔ７６において、上記更新するプリペイドカードが挿入されたと判別された場合には、ステップｓｔ７７において、該挿入されたプリペイドカードに磁気記録された上記プリペイドカードの種類，利用期限，購入金額，購入回数等のプリペイドカード情報が磁気ヘッド６０により読み出される。そして、このように、プリペイドカード情報が磁気ヘッド６０により読み出されると、次いで、この挿入されたプリペイドカードが更新可能期間（有効期間）内であるか否かが判別され（ステップｓｔ７８）、更新可能期間内ではない場合には、ステップｓｔ７９に進み、上記表示部３８に、更新することができない旨を伝える案内情報が表示され、ステップｓｔ８０において、それまで内部にプールされていたプリペイドカードを上記カード挿入口３１から一端が外部に露出するように搬送（定期カードの返却）し、ステップｓｔ８１において、該プリペイドカードが抜き取られたか否かが判別される。この定期カードが抜き取られた場合には、この定期カードを更新する動作は終了する。
【００６２】
また、上記ステップｓｔ７８において、挿入されたプリペイドカードが更新可能期間内であると判別された場合には、上記第１乃至第１０の操作ボタン３９・・・４８に表示された番号の全部又は一部との対応関係の下に、上記表示部３８にプリペイドカードの種類に関する情報と、請求金額に関する情報とがそれぞれ表示される（ステップｓｔ８２）。なお、このステップｓｔ８２において上記表示部３８に表示される請求金額は、更新前のプリペイドカードに記録及び印字された更新回数に応じて、割引された金額となされている。そして、ステップｓｔ８３では、上記第１乃至第１０の操作ボタン３９・・・４８の何れかが押圧操作されたか（選択されたか）否かが判別される。そして、現金（紙幣及び／又は硬貨）が、上記紙幣投入口３３及び／又は硬貨投入口３２から投入される（ステップｓｔ８４）と、この投入金額に応じた金額が減算された請求金額情報（販売金額情報）が上記表示部３８に表示され（ステップｓｔ８５）、投入された金額が請求金額（販売金額）に到達したか否かが判別される（ステップｓｔ８６）。このステップｓｔ８６において、請求金額に到達したと判別されると、上記表示部３８に、プリペイドカードの更新及び精算が完了した旨の情報が表示され（ステップｓｔ８７）、ステップｓｔ８８に進む。このステップｓｔ８８においては、既に挿入されたプリペイドカード（更新前のプリペイドカード）に記録された利用可能残高報等を書き換え（更新し）、この更新された新たなプリペイドカードの一端が上記カード挿入口３１から外部に露出されるまで搬送する。すなわち、こうしたプリペイドカードの更新は、上記更新前のプリペイドカードが上記カード挿入口３１から挿入されると、上記図示しない第１の搬送機構の駆動により、上記カード処理装置５３内に搬送し、上記磁気ヘッド６０により、該更新前のプリペイドカードに記録されたプリペイドカード情報を読み出し、こうした読出しが終了すると、該カード処理装置５３内から第１の搬送機構の駆動により、該プリペイドカードを上記第５のセンサ７４の近傍まで搬送しプールする。そして、このプールされた更新前のプリペイドカードは、再び上記カード処理装置５３内に搬送され、上記磁気ヘッド６０により新たなプリペイドカード情報が磁気記録されるとともに、該更新前のプリペイドカードの表面に（可視的に）印字されていたプリペイドカードの種別や利用可能金額情報は、上記消去ヘッド５８により一旦消去され、その後に、上記サーマルヘッド５７により新たに上記プリペイドカードの種別や利用可能期限情報が印字され、こうした動作により更新された新たなプリペイドカードが完成する。なお、上記磁気ヘッド６０により磁気記録される情報や、上記サーマルヘッド５７により印字される情報には、更新前のプリペイドカードに記録されていた購入回数に１を加算した購入回数に関する情報が含まれる。
【００６３】
そして、上述のように、ステップｓｔ５０において新規の定期カードが、ステップｓｔ５１においてフリーパスカードが、ステップｓｔ６５において更新された定期カードが、ステップｓｔ７３において新規のプリペイドカードが、ステップｓｔ７４において小額プリペイドカードが、ステップｓｔ８８において更新されたプリペイドカード（以下、発行カードという。）の何れかが発行され、発行カードの一端が上記カード挿入口３１から外部に露出するように第１の搬送機構により搬送されると、次いで、図１７に示すステップｓｔ８９に進む。このステップｓｔ８９では、お釣りがあるか否かが判別され、お釣りがある場合には、さらにつり銭切れか否が判別される（ステップｓｔ９０）。つり銭が切れていない場合には、ステップｓｔ９１において、上記つり銭排出口３５及び／又はつり札排出口３４からお釣りが排出される。また、つり銭切れである場合には、ステップｓｔ９２において、お釣りとして利用者に返却されるお釣り金額情報（預かり金額情報）が記憶部に記憶され、ステップｓｔ９３に進む。このステップｓｔ９３においては、一端がカード挿入口３１から露出した上記発行カードが抜き取られたか否かが判別される。そして、上記発行カードがカード挿入口３１から抜き取られ場合には、次いで、上記レシートボタン３６が押圧操作されたか否かが判別され（ステップｓｔ９４）、該レシートボタン３６が押圧操作された場合には、ステップｓｔ９５に進む。このステップｓｔ９５では、上記一方又は他方のつづら折れカード６６（切断された使い捨てカード６７）が、上記第３の搬送機構及び第１の搬送機構を介して上記カード挿入口３１方向に搬送され、該使い捨てカード６７の表面には、上記サーマルヘッド５７により支払い金額及び支払い日時等が可視的に印字されるとともに、裏面には、上記磁気ヘッド６０により支払い金額及び支払い日時が磁気記録され、上記カード挿入口３１から返却され、ステップｓｔ９６に進む。また、上記ステップｓｔ９４において、レシートボタン３６が押圧操作されない場合にも、このステップｓｔ９６に進む。このステップｓｔ９６では、預かり金額（上記お釣りとして利用者に返却されるお釣り金額情報）が存在するか否かが判別され、該預かり金額がない場合には、終了する。また、上記預かり金額がある場合には、ステップｓｔ９７に進み、上記一方又は他方のつづら折れカード６６（切断された使い捨てカード６７）が、上記第３の搬送機構及び第１の搬送機構を介して上記カード挿入口３１方向に搬送され、該使い捨てカード６７の表面には、上記サーマルヘッド５７により預かり金額及び預かり日時等が可視的に印字されるとともに、裏面には、上記磁気ヘッド６０により預かり金額及び預かり日時が磁気記録され、上記カード挿入口３１からレシート（預り証）として返却され、ステップ９８に進む。このステップ９８では、上記返却されたレシート（預り証）が抜き取られたか否かが判別され、抜き取られた場合には各動作が終了する。なお、この実施の形態に係る駐車料金精算装置３０においては、このように返却された使い捨てカードであるレシート（預り証）６７は、前述した回数券又はサービス券と同様の構成からなるカードとされ、該回数券又はサービス券として駐車料金の精算に使用できるようにされている。
【００６４】
したがって、上述した本実施の形態に係る駐車料金精算装置３０によれば、駐車カードを挿入することにより事前に駐車料金を精算することができるばかりではなく、定期カードやプリペイドカードが発行されるカード発行機構を有していることから、無人有料駐車場の開業当初における投資コストを安価にすることができ、また、設置スペースが駐車スペースを圧迫することがない。また、この駐車料金精算装置３０では、上記定期カード又はプリペイドカードが発行される発行口は、上記駐車カードが挿入されるカード挿入口３１であることから、装置内の構成を簡素化することができるとともに、小型化を実現することができる。また、この駐車料金精算装置３０によれば、利用者にとっても極めて使い勝手が良い。さらに、この駐車料金精算装置３０によれば、防犯上の対策も単一の措置を施せば良く、また、管理者による現金の回収も簡易且つ迅速に行うことができる。
【００６５】
また、上記駐車料金精算装置３０では、単に定期カードやプリペイドを発行することができるのみならず、発行済みの定期カードやプリペイドカードを更新することができ、一度発行された定期カード等を再利用することができ、さらには、定期カードやプリペイドカードとして発行されるカードは、全て第１のカード収容部５４内に収容されたリライトカードにより作成されることから、定期カード等に宛てられるコストを削減することができるばかりではなく、発行される定期カード又はプリペイドカードを頻繁に補充する作業をも低減することができ、管理コストの低減にも大きく寄与することができる。しかも、この駐車料金精算装置３０では、前記定期カードに記録された更新累計回数が、所定の累計回数を上回り、又は前記プリペイドカードに記録された更新累計金額が、所定の金額を上回る場合には、更新された定期カード又はプリペイドカードの購入金額が減額されるよう構成されてなることから、より定期カード又はプリペイドカードが更新される可能性を高めることができ、新規の定期カード又はプリペイドカードの発行を抑制することができることから、より一層該定期カード又はプリペイドカードに宛てられるコストを削減することができ、また、発行される定期カード又はプリペイドカードを頻繁に補充する作業をさらに低減することができる。
【００６６】
また、この駐車料金精算装置３０によれば、定期カードとして発行される最低利用期限よりも短い利用期限情報が記録されたフリーパスカード（使い捨てカード）が発行されるとともに、前記プリペイドカードとして発行される最低利用可能残高よりも少ない利用可能残高情報が記録された小額プリペイドカード（使い捨てカード）が発行されるよう構成されてなり、これらフリーパスカード及び小額プリペイドカードは、上記リライトカードとは素材の異なる紙製のつづら折れカード６６を利用するものであることから、上記リライトカードの発行頻度を抑制することができ、発行されるカード全体に必要なコストを安価にすることができる。
【００６７】
なお、前記実施の形態に係る駐車料金精算装置３０では、定期カードやプリペイドカードの更新回数に応じて、該定期カード又はプリペイドカードの購入金額が減額されるよう構成されているが、本発明は、必ずしもこのような更新する定期カードやプリペイドカード購入金額の減額に限定されるものではなく、定期カードであれば、利用可能期限を通常の利用可能期限よりも延長した利用可能期限情報が記録され、プリペイドカードであれば、通常の利用残高情報よりも増額された利用可能残高情報が記録されるように構成されたものであっても良い。
【００６８】
また、前記実施の形態に係る駐車料金精算装置３０では、前述した通り、入口ゲート１や出口ゲート２とはやや離間した位置に設置されたものを図示して説明したが、本発明に係る駐車料金精算装置は、上記出口ゲート２に設置されてなるものであっても良い。すなわち、本発明は、上記出口ゲート２における出庫操作装置１５の設置位置に上記実施の形態に係る駐車料金精算装置３０が設置されていても良い。この図示しないこの駐車料金精算装置は、上述した実施の形態に係る駐車料金精算装置３０の機能を備えてなるとともに、前記駐車カード発行装置３や前記他方の開閉バー１６に電気的に接続されている。そして、この駐車料金精算装置には、上記駐車料金精算装置３０の構成要素に加え、定期カード又はフリーパスカードがカード挿入口に挿入された場合には、該定期カード又はフリーパスカードに磁気記録された定期カード情報を読み込み、該定期カード等が利用期限内である場合には、該定期カード等を返却するとともに、上記他方の開閉バー１６を上昇駆動させる機能を備えている。
【００６９】
このように構成された駐車料金精算装置による場合であっても、上記他方の開閉バー１６の動作を除いて、基本的に上記実施の形態に係る駐車料金精算装置と同じ作用・効果を奏することができる。
【００７０】
【発明の効果】
上述した本発明の一実施の形態の説明からも明らかなように、本発明（請求項１記載の発明）では、定期カード又はプリペイドカードが発行されるカード発行機構を有し、さらに、上記定期カード又はプリペイドカードが発行される発行口は、上記駐車カードが挿入される上記カード挿入口と同一であることから、無人有料駐車場の開業当初における投資コストを安価にすることができ、また、設置スペースが駐車スペースを圧迫することがない。さらに、利用者にとっても、この第１の発明に係る駐車料金精算装置の使用により、駐車料金を精算することができるとともに、定期カードやプリペイドカードを購入することもできるので、極めて使い勝手が良い。さらに、この第１の発明によれば、防犯上の対策も単一の措置を施せば良く、また、管理者による現金の回収も簡易且つ迅速に行うことができる。
【００７１】
また、第２の発明（請求項２記載の発明）によれば、前記カード発行機構には、上記定期カード又はプリペイドカードを更新することができ、一度発行された定期カード又はプリペイドカードを再利用することができるので、該定期カード又はプリペイドカードに宛てられるコストを削減することができ、また、発行される定期カード又はプリペイドカードを頻繁に補充する作業をも低減することができ、管理コストの低減にも大きく寄与することができる。
【００７２】
また、第３の発明（請求項３記載の発明）によれば、によれば、更新された定期カードに記録された該定期カードの更新累計回数や更新累計期間、更新されたプリペイドカードに記録された該プリペイドカードの更新累計回数又は更新累計金額により、管理者はこれらの情報を確認することができ、こうした情報に基づく将来の対策が可能となるとともに、上記更新累計回数又は更新累計金額等に応じて、利用者に対する金銭や物品等の交付をすることができる。
【００７３】
また、第４の発明（請求項４記載の発明）によれば、第３の発明で記載したように、利用者に対して金銭や物品等を交付するという管理者の負担を軽減することができるばかりではなく、より定期カード又はプリペイドカードが更新される可能性を高めることができ、新規の定期カード又はプリペイドカードの発行を抑制することができることから、より一層該定期カード又はプリペイドカードに宛てられるコストを削減することができ、また、発行される定期カード又はプリペイドカードを頻繁に補充する作業をさらに低減することができる。
【００７４】
また、第５の発明（請求項５記載の発明）によれば、定期カードに関しては、その利用期限情報毎に予め該利用可能残高情報が記録された多数の定期カードを貯留し、また、プリペイドカードに関しては、その利用可能残高毎に予め該利用可能残高情報が記録された多数のプリペイドカードを貯留するための収容部をそれぞれ別個に設ける必要がないことから、この駐車料金精算装置を、従来のカード発行機構を有していない駐車料金精算装置と同じ位の大きさに抑えることが可能となり、さらには、それぞれの利用期限情報又は利用可能残高情報に応じた定期カード又はプリペイドカードの補充を強いられることがなく、管理コストを大きく低減することができる。
【００７５】
また、第６の発明による場合であっても、上記第２の発明と同じように、一度発行された定期カード又はプリペイドカードを再利用することができるので、該定期カード又はプリペイドカードに宛てられるコストを削減することができ、また、発行される定期カード又はプリペイドカードを頻繁に補充する作業をも低減することができ、管理コストの低減にも大きく寄与することができる。
【００７６】
また、第７の発明によれば、目視的に記録された利用期限情報又は利用可能残高情報が消去可能とされた上記カードの発行頻度を抑制することができ、発行されるカード全体に必要なコストを安価にすることができる。
【００７７】
また、第８の発明では、上記使い捨てカードとして発行される他のカードがレシート（領収書）としても利用されるとともに、該レシートは、上記カード挿入口から発行され、従来の駐車料金精算装置のように、ロールペーパーに印字（記録）された状態で、駐車カードが挿入されるカード挿入口とは別個に形成されたレシート発行口から発行されるものではない。また、この第８の発明では、上記他のカードに対する精算金額や日時の記録は、従来の駐車料金精算装置のように、印字装置が組み込まれているものではなく、上記定期カード又はプリペイドカードに利用期限情報又は利用可能残高情報を記録する書込み部により行われる。したがって、この第８の発明によれば、構成を簡素化し安価に製造することができる。
【図面の簡単な説明】
【図１】無人有料駐車場システムの全体構成を模式的に示す模式図である。
【図２】図１に示す無人有料駐車場の構成要素の関係を示すブロック図である。
【図３】駐車カード発行装置を示す正面図である。
【図４】出庫操作装置を示す正面図である。
【図５】駐車料金精算装置を示す正面図である。
【図６】駐車料金精算装置の内部に形成された搬送機構等を模式的に示す模式図である。
【図７】駐車料金精算装置の内部の機械的構成を模式的に示す模式図である。
【図８】つづら折れカードを示す斜視図である。
【図９】駐車料金精算装置の内部に配設された各センサの配設位置を模式的に示す模式図である。
【図１０】駐車料金精算装置から発行される定期カードを示すものであって、（Ａ）は第１の定期カード、（Ｂ）は第２の定期カード、（Ｃ）は第３の定期カード、（Ｄ）は、第４の定期カードを示す正面図である。
【図１１】駐車料金精算装置から発行されるプリペイドカードを示すものであって、（Ａ）は第１のプリペイドカード、（Ｂ）は第２のプリペイドカードを示す正面図である。
【図１２】駐車料金精算装置から発行されるフリーパスカードを示す正面図である。
【図１３】スタートから[Ａ]，[Ｂ]，[Ｃ]，[Ｄ]，[Ｅ]までの動作を示すフローチャートである。
【図１４】図１３に示す[Ａ]から[Ｆ]までの動作を示すフローチャートである。
【図１５】図１４に示す[Ｆ]からエンド（終了）までの動作を示すフローチャートである。
【図１６】図１３に示す[Ｂ]から[Ｇ]までの動作を示すフローチャートである。
【図１７】図１６に示す[Ｇ]からエンド（終了）までの動作を示すフローチャートである。
【図１８】図１３に示す[Ｃ]から[Ｈ]までの動作を示すフローチャートである。
【図１９】図１３に示す[Ｄ]から[Ｈ]までの動作を示すフローチャートである。
【図２０】図１３に示す[Ｅ]から[Ｈ]までの動作を示すフローチャートである。
【図２１】駐車料金精算装置に挿入された駐車カード，回数券又はサービス券の移動動作を模式的に示す模式図である。
【図２２】駐車料金精算装置の内部にプールされた駐車カードが排出されるまでの移動動作を模式的に示す模式図である。
【図２３】駐車料金精算装置の内部に挿入された駐車カードが回収ボックスに回収されるまでの移動動作を模式的に示す模式図である。
【図２４】第１のカード収容部に収容されたリライトカードが、定期カード又はプリペイドカードとして発行されるまでの移動動作を模式的に示す模式図である。
【図２５】第２又は第３のカード収容部に収容されたつづら折れカードが、フリーパスカード又は小額プリペイドカード若しくはレシートとして発行されるまでの途中の移動動作を模式的に示す模式図である。
【符号の説明】
３０    駐車料金精算装置
３１    カード挿入口
３２    硬貨投入口
３３    紙幣投入口
３８    表示部
３９・・・４８    第１乃至第１０の操作ボタン
４９    カード購入／更新ボタン
５０    確認ボタン
５１    訂正ボタン
５４    第１のカード収容部
５７    サーマルヘッド
５８    消去ヘッド
６０    磁気ヘッド
６４    第２のカード収容部
６５    第３のカード収容部
６６    つづら折れカード
６７    使い捨てカード
１００・・・１０３    定期カード
１００ｄ・・・１０３ｄ    利用可能期限（情報）
１０４，１０５    プリペイドカード
１０４ｂ，１０５ｂ    利用可能残高（情報）
【図１】
2004206233.tif 000003
【図２】
2004206233.tif 000004
【図３】
2004206233.tif 000005
【図４】
2004206233.tif 000006
【図５】
2004206233.tif 000007
【図６】
2004206233.tif 000008
【図７】
2004206233.tif 000009
【図８】
2004206233.tif 000010
【図９】
2004206233.tif 000011
【図１０】
2004206233.tif 000012
【図１１】
2004206233.tif 000013
【図１２】
2004206233.tif 000014
【図１３】
2004206233.tif 000015
【図１４】
2004206233.tif 000016
【図１５】
2004206233.tif 000017
【図１６】
2004206233.tif 000018
【図１７】
2004206233.tif 000019
【図１８】
2004206233.tif 000020
【図１９】
2004206233.tif 000021
【図２０】
2004206233.tif 000022
【図２１】
2004206233.tif 000023
【図２２】
2004206233.tif 000024
【図２３】
2004206233.tif 000025
【図２４】
2004206233.tif 000026
【図２５】
2004206233.tif 000027